(57)【要約】【課題】集塵室より着脱し易いバスケット体を有する電気掃除機を提供すること。【解決手段】吸引風を発する電動送風機と、開口部を有する集塵室９と、集塵室９に着脱自在に装着され、塵埃を捕集する集塵袋１１がセットされるバスケット部とバスケット部を持ち上げるハンドル部１４とを有するバスケット体と、前記開口部を覆う開閉自在な集塵部蓋１０と、集塵部蓋１０を集塵室９の開口部に係止する尾錠１３とを備え、ハンドル部１４は、バスケット体に摺動自在かつ付勢力により引上げ方向に付勢されて取付けられる構成としたので、集塵袋１１を取り出す際に、尾錠１３を操作することでハンドル部１４の付勢力により集塵部蓋１０が持ち上がり、集塵部蓋１０を開き易くすると共に、ハンドル部１４が上方に移動することで、集塵袋１１とハンドル部１４との間に空間ができ、容易にバスケット体を取り出すことができるようになる。【選択図】図２
2007020768.tif 000002
【特許請求の範囲】
【請求項１】
吸引風を発する電動送風機と、開口部を有する集塵室と、前記集塵室に着脱自在に装着され、塵埃を捕集する集塵袋がセットされるバスケット部と前記バスケット部を持ち上げるハンドル部とを有するバスケット体と、前記開口部を覆う開閉自在な集塵部蓋と、前記集塵部蓋を前記集塵室の開口部に係止する尾錠とを備え、前記ハンドル部は、バスケット体に摺動自在かつ引上げ方向に付勢されて取付けられる構成とした電気掃除機。
【請求項２】
集塵部蓋で集塵室の開口部を閉じた際に、バスケット体を構成するハンドル部が前記集塵部蓋と接触して摺動し、押し下げられる構成とした請求項１に記載の電気掃除機。
【請求項３】
集塵部蓋を集塵室の開口部の開口方向に付勢する付勢手段を有し、前記集塵部蓋は、尾錠解除状態では全開となる構成とした請求項１または２記載の電気掃除機。
【請求項４】
付勢手段をねじりコイルバネで構成した請求項３に記載の電気掃除機。
【請求項５】
集塵部蓋を全開状態にした場合には、開口部が完全に露出する構成とした請求項３記載の電気掃除機。
【発明の詳細な説明】
【技術分野】
【０００１】
本発明は、集塵袋を収納するバスケット体を備えた電気掃除機に関するものである。
【背景技術】
【０００２】
従来のこの種の電気掃除機として、集塵袋を収納するバスケット体に回動自在にハンドルを取り付けたものがある（例えば、特許文献１参照）。
【特許文献１】特開２００４−１７４０４６号公報
【発明の開示】
【発明が解決しようとする課題】
【０００３】
しかしながら、上記従来の構成では、塵埃で一杯になった集塵袋を本体から取り出す際に、集塵部蓋を開き、ハンドルを持って取り出すが、集塵袋が一杯になった場合には、ハンドルと集塵袋に隙間がなくなってしまうため取り出し難くなっていた。
【０００４】
本発明は上記従来の課題を解決するもので、バスケット体が集塵室より着脱し易く、バスケット体から容易に集塵袋を取り出すことができる使い勝手のよい電気掃除機を提供することを目的とする。
【課題を解決するための手段】
【０００５】
上記従来の課題を解決するために、本発明の電気掃除機は、吸引風を発する電動送風機と、開口部を有する集塵室と、前記集塵室に着脱自在に装着され、塵埃を捕集する集塵袋がセットされるバスケット部と前記バスケット部を持ち上げるハンドル部を有するバスケット体と、前記開口部を覆う開閉自在な集塵部蓋と、前記集塵部蓋を前記集塵室の開口部に係止する尾錠とを備え、前記ハンドル部は、バスケット体に摺動自在かつ引上げ方向に付勢されて取付けられる構成としたもので、集塵袋を廃棄する際に、尾錠を操作することでハンドル部の付勢力により集塵部蓋が持ち上がり、蓋を開きやすくするとともに、ハンドル部が上方に移動することで、集塵袋とハンドル部との間に空間ができ、容易にバスケットを取り出すことができる。
【発明の効果】
【０００６】
本発明の電気掃除機は、バスケット体が集塵室より着脱し易く、バスケット体から集塵袋を簡単に取り出すことができる、使い勝手のよい電気掃除機を提供することができる。
【発明を実施するための最良の形態】
【０００７】
第１の発明は、吸引風を発する電動送風機と、開口部を有する集塵室と、前記集塵室に着脱自在に装着され、塵埃を捕集する集塵袋がセットされるバスケット部と前記バスケット部を持ち上げるハンドル部を有するバスケット体と、前記開口部を覆う開閉自在な集塵部蓋と、前記集塵部蓋を前記集塵室の開口部に係止する尾錠とを備え、前記ハンドル部は、バスケット部に摺動自在かつ引上げ方向に付勢されて取付けられる構成としたもので、集塵袋取り出し時に尾錠を解除することで、バスケット体を構成するハンドル部の付勢力により集塵部蓋が持ち上がり、蓋を開き易くすると共に、ハンドル部が摺動下点から引き上げ方向に持ち上がることで、集塵袋とハンドル部との間に空間ができ、容易にバスケットを取り出せるものである。
【０００８】
第２の発明は、第１の発明のバスケット体を構成するハンドル部が、集塵部蓋で集塵室の開口部を閉じた際に、前記集塵部蓋と接触して摺動し、押し下げられる構成としたもので、集塵部蓋で集塵室の開口部を閉じる際にも、バスケット体を容易に集塵室に装着できるものである。
【０００９】
第３の発明は、第１または第２の発明に加えて、集塵部蓋を集塵室の開口部の開口方向に付勢する付勢手段を有し、前記集塵部蓋は、尾錠解除状態では全開となる構成としたもので、集塵袋取り出し時に尾錠を操作することで、ハンドル部付勢力と集塵部蓋付勢力により、集塵部蓋が全開となり、容易にバスケットを取り出せるものである。
【００１０】
第４の発明は、第３の発明の付勢手段をねじりコイルバネで構成したもので、付勢手段を安価に容易に提供できるものである。
【００１１】
第５の発明は、第３の発明の集塵部蓋を全開状態にした場合には、開口部が完全に露出する構成としたもので、容易にバスケットを取り出せるものである。
【００１２】
以下、本発明の実施の形態について、図面を参照しながら説明する。なお、この実施の形態によりこの発明が限定されるものではない。
【００１３】
（実施の形態１）
本発明の第１の実施の形態における電気掃除機について、図１〜図４を用いて説明する。図１は本実施の形態における電気掃除機の全体斜視図、図２は同電気掃除機の掃除機本体の側面図を示す。
【００１４】
図１において、１は掃除機本体で電動送風機（図示せず）、集塵手段（図示せず）を内蔵し、掃除機本体１の前部には、ホース２の一端に設けた接続パイプ３が着脱自在に接続される吸入口４が設けられている。
【００１５】
ホース２の他端には、掃除の際に握る把手部５を備えた手元握りパイプ６が設けられている。７は伸縮自在或いは継ぎ自在の吸引管で、下流側端部が前記手元握りパイプに着脱自在に接続され、他端は、床用吸込み具８に着脱自在で接続される。
【００１６】
図２において、掃除機本体１は、集塵室９を有し、集塵室９を開閉自在に覆う集塵部蓋１０を設けている。また集塵室９内には、塵埃を捕集する集塵袋１１が装着可能なバスケット体１２が着脱自在に設けられている。本体１のホース接続側には尾錠１３が設けられている。前記バスケット体１２は、バスケット体１２を持ち上げるハンドル部１４を有し、前記ハンドル部１４はバスケット体１２に摺動自在かつ引上げ方向に付勢されつつ取付けられ、集塵蓋１０を閉じた際には、集塵蓋１０と接触し摺動下点に押し下げられる。
【００１７】
前記集塵蓋１０の開閉を集塵蓋１０の一端に設けた回動軸を中心に回動動作により行い、尾錠１３を回動軸と対向するように配置した。前記尾錠１３は、上下方向を動作方向とし、上方から押すことにより解除されるものである。このときの解除力は１０Ｎ以下になるように設定した。
【００１８】
図３は集塵袋１１廃棄時のバスケット体１２の断面図で、ハンドル部１４が摺動下点での断面図と摺動上点での断面図である。
【００１９】
上記構成による作用は以下の通りである。
【００２０】
集塵袋１１が満杯になり、集塵袋１１を捨てる際には、まず尾錠１３を上方より押し、尾錠１３が解除されることで、ハンドル部１４の付勢力により、ハンドル部１４が摺動上点に移動し、その際、接触している集塵部蓋１０を押し上げる。
【００２１】
集塵部蓋１０が押し上げられることで、集塵部蓋１０を開くことが容易になり、ハンドル１４が摺動上点に移動することで、集塵袋１１とハンドル部１４の間に空間ができ、バスケット体１２の取り出しを容易にできる。
【００２２】
（実施の形態２）
図５は、本発明の第２の実施の形態における電気掃除機の斜視図である。なお、上記実施の形態１と同一部分については同一符号を付してその説明を省略する。
【００２３】
本実施の形態は、図に示すように、集塵部蓋１０の回動軸両端にねじりコイルバネを配置し付勢手段１５としたもので、尾錠１３を解除した状態ではこの付勢力により、集塵蓋１０は全開状態となるものとし、全開状態では開口部が完全に露出するようにしたものである。このときの付勢力は、全閉状態から全開状態に移動可能な力の１．１倍に設定した。
【００２４】
上記構成によると、集塵袋１１廃棄時には、尾錠１３を操作することで、集塵部蓋１０は全開状態となり、ハンドル部１４は摺動上点に移動し、容易にバスケット体１２を取り出せるものである。また、付勢手段１５をねじりコイルバネより構成し、回動軸両端に配置することで、付勢力が集塵部蓋１０に与える応力を小さくし、安価に不正手段を提供できる。
【００２５】
（実施の形態３）
図６は、本発明の第３の実施の形態における電気掃除機の斜視図である。なお、上記実施の形態と同一部分については同一記号を付してその説明を省略する。
【００２６】
本実施の形態は、図に示すように、集塵部蓋１０の回動軸近傍に回動時に抵抗となる抵抗体１６を設けたものである。
【００２７】
上記構成によれば、集塵袋１１廃棄時に、尾錠１３を操作したときに、勢い良く集塵部蓋１０が開いてしまい、使用者に恐怖感を与えるのを防止できるものである。
【産業上の利用可能性】
【００２８】
以上のように、本発明にかかる電気掃除機は、バスケット体が集塵室より着脱し易く、又バスケット体から集塵袋を簡単に取り出すことができるので、家庭用、業務用の電気掃除機や集塵機に限らず、被回収品を回収した袋体を取り出すようにした各種機器、装置にも適用できる。
【図面の簡単な説明】
【００２９】
【図１】本発明の実施の形態１における電気掃除機の全体斜視図
【図２】同電気掃除機の本体の斜視図
【図３】同電気掃除機のバスケット体の断面図
【図４】同電気掃除機の本体の側面図
【図５】本発明の実施の形態２における電気掃除機の斜視図
【図６】本発明の実施の形態３における電気掃除機の斜視図
【符号の説明】
【００３０】
１    本体
２    ホース
３    接続パイプ
４    吸入口
５    把手部
６    手元握りパイプ
７    吸引管
８    床用吸込み具
９    集塵室
１０  集塵部蓋
１１  集塵袋
１２  バスケット体
１３  尾錠
１４  ハンドル部
１５  付勢手段
【図１】
2007020768.tif 000003
【図２】
2007020768.tif 000004
【図３】
2007020768.tif 000005
【図４】
2007020768.tif 000006
【図５】
2007020768.tif 000007
【図６】
2007020768.tif 000008